【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
撮影光学系を通過した光束を受光して光電変換する撮像手段と、
前記撮像手段により生成された信号に基づいて焦点状態を検出する焦点検出手段と、
前記撮像手段により生成された画像内に第１の領域を設定する設定手段と、
前記第１の領域において前記焦点検出手段により検出された焦点状態を示す指標を、前記画像に重畳して表示するよう制御する表示制御手段と、
前記画像における所定の被写体についての情報を取得する取得手段と、を有し、
前記設定手段は、前記画像における前記所定の被写体の位置、サイズ、向きの少なくともいずれかの情報に基づいて、前記第１の領域の位置を設定することを特徴とする焦点検出装置。
【請求項２】
前記所定の被写体は複数の特徴領域を有する被写体であり、
前記設定手段は、前記複数の特徴領域のうちいずれかの特徴領域の位置に基づいて前記第１の領域の位置を設定することを特徴とする請求項１に記載の焦点検出装置。
【請求項３】
前記設定手段は、前記所定の被写体のサイズが第１の閾値より大きい場合、当該所定の被写体に含まれる前記複数の特徴領域のうちいずれかの特徴領域の位置に基づいて前記第１の領域の位置を設定し、前記所定の被写体のサイズが前記第１の閾値以下の場合、当該所定の被写体の位置に基づいて前記第１の領域の位置を設定することを特徴とする請求項２に記載の焦点検出装置。
【請求項４】
前記設定手段は、前記複数の特徴領域のうち、前記画像の中心から遠い位置にある特徴領域の位置に基づいて前記第１の領域の位置を設定することを特徴とする請求項２に記載の焦点検出装置。
【請求項５】
前記設定手段は、前記複数の特徴領域のうち最も至近側にある前記特徴領域の位置に基づいて前記第１の領域の位置を設定することを特徴とする請求項２に記載の焦点検出装置。
【請求項６】
前記設定手段は、前記所定の被写体の向きに基づいて、前記複数の特徴領域のうち最も至近側にある前記特徴領域を判定することを特徴とする請求項５に記載の焦点検出装置。
【請求項７】
所定の操作を受け付ける操作部材を更に有し、
前記設定手段は、前記所定の操作に応じて前記第１の領域の位置を変更することを特徴とする請求項１乃至６のいずれか１項に記載の焦点検出装置。
【請求項８】
前記設定手段は、複数の前記所定の被写体の情報が取得された場合、いずれか１つの前記所定の被写体の情報に基づいて前記第１の領域を設定し、前記所定の操作に応じて、前記第１の領域を設定する前記所定の被写体を変更することを特徴とする請求項７に記載の焦点検出装置。
【請求項９】
前記所定の操作は方向を指定する操作であり、
前記設定手段は、前記所定の操作に応じた方向へ前記第１の領域の位置を所定量ずつ移動することを特徴とする請求項７に記載の焦点検出装置。
【請求項１０】
前記所定の操作は位置を指定する操作であり、
前記設定手段は、前記所定の操作に応じた位置へ前記第１の領域の位置を変更することを特徴とする請求項７に記載の焦点検出装置。
【請求項１１】
前記表示制御手段は、前記所定の操作に応じた前記第１の領域の位置の変化量が第１の量の場合、前記変化量が前記第１の量よりも小さい第２の量の場合と比較して、前記指標の表示の応答性を高くすることを特徴とする請求項７に記載の焦点検出装置。
【請求項１２】
前記表示制御手段は、前記所定の操作に応じた前記第１の領域の位置の変化量が第１の量の場合に、前記焦点検出手段による最新の前記焦点状態の検出結果に基づいて前記指標を表示し、前記変化量が前記第１の量よりも小さい第２の量の場合に、前記焦点検出手段による複数の前記焦点状態の検出結果の平均に基づいて前記指標を表示することを特徴とする請求項７に記載の焦点検出装置。
【請求項１３】
前記表示制御手段は、前記焦点検出手段による複数回の前記焦点状態の検出結果の平均に基づいて前記指標を表示し、
前記表示制御手段は、前記所定の操作に応じた前記第１の領域の位置の変化量が第１の量の場合に、前記変化量が前記第１の量よりも小さい第２の量の場合と比較して、前記焦点状態の検出結果を平均する回数を少なくすることを特徴とする請求項７に記載の焦点検出装置。
【請求項１４】
前記設定手段が前記所定の被写体の情報に基づいて前記第１の領域を設定する場合、前記表示制御手段は、前記焦点検出手段による最新の前記焦点状態の検出結果に基づいて前記指標を表示することを特徴とする請求項１乃至１３のいずれか１項に記載の焦点検出装置。
【請求項１５】
前記設定手段は、前記所定の被写体の画像領域内に複数の前記第１の領域を設定することを特徴とする請求項１乃至１４のいずれか１項に記載の焦点検出装置。
【請求項１６】
前記表示制御手段は、前記所定の被写体の向きが正面向きまたは後ろ向きである場合、水平方向に配置された複数の前記第１の領域において前記焦点検出手段により検出された焦点状態に基づいて前記指標を表示し、前記所定の被写体の向きが横向きである場合、垂直方向に配置された複数の前記第１の領域において前記焦点検出手段により検出された焦点状態に基づいて前記指標を表示することを特徴とする請求項１５に記載の焦点検出装置。
【請求項１７】
前記所定の被写体の画像領域に対する前記第１の領域の相対的な位置を記憶する記憶手段を更に有し、
前記設定手段は、前記所定の被写体の情報が取得されなくなった際に、前記記憶手段に記憶された前記相対的な位置に基づいて、前記第１の領域を設定することを特徴とする請求項１乃至１６のいずれか１項に記載の焦点検出装置。
【請求項１８】
ユーザによる操作に応じて焦点状態を変更する第１のモードにおいて、前記表示制御手段は前記指標を表示することを特徴とする請求項１乃至１７のいずれか１項に記載の焦点検出装置。
【請求項１９】
前記設定手段は、前記撮像手段により生成される画像内に第２の領域を設定し、
前記焦点検出装置は、前記第２の領域において前記焦点検出手段により検出された焦点状態に基づいて自動で焦点状態を変更する第２のモードを備えることを特徴とする請求項１８に記載の焦点検出装置。
【請求項２０】
前記第２のモードにおいて、前記表示制御手段は前記指標を表示しないことを特徴とする請求項１９に記載の焦点検出装置。
【請求項２１】
前記第２の領域のサイズは前記第１の領域のサイズよりも大きいことを特徴とする請求項１９に記載の焦点検出装置。
【請求項２２】
前記第２の領域のサイズは前記所定の被写体のサイズに応じて変更されることを特徴とする請求項１９に記載の焦点検出装置。
【請求項２３】
前記第１の領域のサイズは一定であることを特徴とする請求項１乃至２２のいずれか１項に記載の焦点検出装置。
【請求項２４】
前記所定の被写体は顔であって、前記特徴領域は目の領域であることを特徴とする請求項２に記載の焦点検出装置。
【請求項２５】
前記所定の被写体についての情報に基づいて前記特徴領域の位置を推定する推定手段、または前記所定の被写体の画像領域から前記特徴領域を検出する特徴領域検出手段の少なくともいずれかを更に有することを特徴とする請求項２に記載の焦点検出装置。
【請求項２６】
前記焦点検出手段は、前記撮像手段により生成される一対の像信号に基づいてデフォーカス量およびデフォーカス方向を検出し、前記指標は、前記デフォーカス量およびデフォーカス方向に応じて変化することを特徴とする請求項１乃至２５のいずれか１項に記載の焦点検出装置。
【請求項２７】
前記表示制御手段は、前記指標とともに、前記第１の領域を示す表示を行うことを特徴とする請求項１乃至２６のいずれか１項に記載の焦点検出装置。
【請求項２８】
撮影光学系を通過した光束を受光して光電変換する撮像手段を備える焦点検出装置の制御方法であって、
前記撮像手段により生成された信号に基づいて焦点状態を検出する焦点検出工程と、
前記撮像手段により生成された画像内に第１の領域を設定する設定工程と、
前記第１の領域において前記焦点検出工程により検出された焦点状態を示す指標を、前記画像に重畳して表示するよう制御する表示制御工程と、
前記画像における所定の被写体についての情報を取得する取得工程と、を有し、
前記設定工程では、前記画像における前記所定の被写体の位置、サイズ、向きの少なくともいずれかの情報に基づいて、前記第１の領域の位置が設定されることを特徴とする焦点検出装置の制御方法。
【手続補正２】
【補正対象書類名】明細書
【補正対象項目名】０００９
【補正方法】変更
【補正の内容】
【０００９】
上記目的を達成するために、本発明の焦点検出装置は、撮影光学系を通過した光束を受光して光電変換する撮像手段と、前記撮像手段により生成された信号に基づいて焦点状態を検出する焦点検出手段と、前記撮像手段により生成された画像内に第１の領域を設定する設定手段と、前記第１の領域において前記焦点検出手段により検出された焦点状態を示す指標を、前記画像に重畳して表示するよう制御する表示制御手段と、前記画像における所定の被写体についての情報を取得する取得手段と、を有し、前記設定手段は、前記画像における前記所定の被写体の位置、サイズ、向きの少なくともいずれかの情報に基づいて、前記第１の領域の位置を設定することを特徴とする。